(57)【要約】【課題】水門を水路構造物に取り付ける際に、水門と水路構造物の水密性を容易に確保することができ、工期を短縮できる水門据付工法を提供することにある。【解決手段】該当する水門の周囲四辺に、通常の木材の型枠の代わりとなる型枠材料を水門製造時に製造工場で水門本体と一体化する構造を有することによって、現場での施工精度を高めるとともに工事の工程を削減することができるため、水門と水路構造物の水密性の確保が容易になる上に、工期を短縮できる。そのため工事の時期、期間の制限が除かれるとともにトータルコストの向上を実現できる。【選択図】図１
2005133410.tif 000002
【特許請求の範囲】
【請求項１】
製造時にコンクリート打設用の型枠が水門本体と一体型になっている水門であって、本来別々であった型枠と水門本体を一体化にすることで型枠の現地加工が無くなり、より精度の良い型枠を備えることで水門を水路構造物に取り付ける際に、水門と水路構造物との境界面の水密性を容易に確保することができ、且つ、現地にて型枠組み立てや脱型などの作業が省略できることにより、工期が短縮されることを特徴とする水門据付工法。
【請求項２】
請求項１の水門において、本来別々であった型枠と水門本体を一体化にし、水門据付後、コンクリート打設時に水門本体と一体化した型枠ごとコンクリートに埋設することで、型枠に使用される木材等の廃棄物が全く排出されず、すなわち環境問題対策にも優れている工法であることを特徴とする水門据付工法。
【請求項３】
請求項１の工法により据付工事の工期が短縮されることで、安全性や環境への対策から水門設置を検討している工場において、従来の工法では長期間、工場の操業を停止することが困難であったために水門据付工事が不可能であった箇所でも、水門の設置が可能となることを特徴とする水門据付工法。
【請求項４】
請求項１の工法により据付工事の工期が従来よりも約１／７に短縮されることで、工場停止日数を減らすことができ、すなわち工場の生産量（効率）を向上させ、トータルコストメリットを向上させることができることを特徴とする水門据付工法。
【請求項５】
請求項１の工法により据付工事の工期が短縮されることで、従来では長期の休業日（例えば夏期休業期間、冬季休業期間など）以外では工事が不可能であった箇所でも、通常の休業日（土、日等）のみで据付工事が終了することで、時期を問わずに水門の設置が可能となることを特徴とする水門据付工法。
【発明の詳細な説明】
【技術分野】
【０００１】
この発明は、河川または水路を横断して設けられる水門の構造およびその据付工法に関するものである。
【背景技術】
【０００２】
河川または水路を横断して設けられる水門には、スルースゲートやフラップゲート、ローラーゲートなどの形式があり、用途としては農業用水路の取水・分水や洪水時に河川からの逆流を防止するなどに使用されるが、特に近年では環境問題に関する関心の高まりから、工場・事業所から公共用水域に排出される排水路に水門を取り付けて排水中の汚染物質量を規制することが必要とされている。
【０００３】
図４に示すように、従来の工法によってこれらの水門を水路構造物に取り付ける際は、まず、扉体２、戸当り３などから構成される水門本体を水平・垂直に仮付けし、本体に取り付けてある基礎ボルト９と、水路構造物壁面から突出させた鉄筋１０とを溶接にて固定をする。その後、現地にて木材等によりコンクリート打設用の型枠を組み、水門本体と水路構造物との隙間面にコンクリート５を打設する。コンクリート打設後、1週間程度のコンクリートの養生期間を経て型枠を脱型し、据付完了となる。つまり、(1)水門本体の仮付け、(2)壁面との溶接固定、(3)型枠の組み立て、(4)コンクリートの打設、(5)コンクリートの養生、(6)型枠の脱型、の工程となり、日数は(1)〜(2)で1日、(3)〜(4)で１〜２日、(6)で１日の計３〜４日、さらに(5)のコンクリート養生期間を含めると2週間以上の工期が必要であった。
【発明の開示】
【発明が解決しようとする課題】
【０００４】
前述のような従来工法では、コンクリート打設用の型枠を現地にて組み立てる必要があった。水門は構造上、水門本体や壁面との隙間からの漏水がないことを要求される製品であり、水門本体は隙間からの漏水がおこらないように注意して設計されている。それゆえに、水門本体と水路構造物との隙間に充填するコンクリートからも漏水しないような構造の型枠を組み立てる必要があるが、この型枠の組み立てを現地にて行うことは非常に手間のかかる作業であった。
【０００５】
また、長期間の据付工期が必要なので、据付工事の期間中は工場の操業を停止をしなければならない場合、工場停止の時期に併せて水門据付工事を実施しなければならず、工事の時期は限定され、長期の休業日（例えば夏期休業期間、冬季休業期間など）の期間しか工事できない箇所もあった。さらに、長期間操業を停止することが困難である場合、水門据付工事そのものが不可能であった箇所もあった。
本発明はこのような問題を解決するものであり、水門と水路構造物の水密性を容易に確保することができ、さらにより工期の短い工法での水門据付工法を提供することを目的とする。
【課題を解決するための手段】
【０００６】
すなわち、該当する水門の周囲四辺に、通常の木材の型枠の代わりとなる型枠材料を水門製造時に溶接で固定し、水門本体と型枠を一体化する構造とすることを特徴としている。この時、型枠は溶接固定ではなくボルト等の接続で取り外しできる形状も可能である。ボルト等により型枠を固定する場合は、水門本体と型枠の隙間から漏水が起こらないようにパッキン等のシール材を間に挟むと良い。さらに、型枠材料は特に材質に限定は無いが、コンクリート内に埋設されるため、例えばステンレス鋼材のような腐食しない材料が望ましい。
【発明の効果】
【０００７】
この発明によれば、製造時にコンクリート打設用の型枠が水門本体と一体型になっているので、型枠を現地にて加工する必要がない。さらに、より精度の良い型枠を備えることで水門を水路構造物に取り付ける際に、取付作業を軽減できるだけでなく、水門と水路構造物との境界面の水密性も容易に確保することができる。水門本体と一体化した型枠はコンクリートに埋設してしまうので、従来型枠として使用されていた木材等の廃棄物が全く排出されないので、環境問題対策としても優れている。
【０００８】
また、現地での型枠組み立てや脱型などの作業が省略できることにより、(1)水門本体の仮付け、(2)壁面との固定（溶接等）、(3)コンクリートの打設、(4)コンクリートの養生、の４工程とすることができる。コンクリートは自然に養生しておけば良いので、(4)の工期を省略すると据付工事は約２日間で終了し、従来よりも大幅に据付工期を短縮することが可能である。
据付工事の期間中は工場の操業を停止をしなければならない場合でも、工場の操業停止日数を減らすことができるので、工場の生産量（効率）が従来工法の場合よりも向上し、トータルコストメリットを向上させることが可能である。
【０００９】
環境問題への対策として水門の設置を検討している工場に於いて、従来の工法では長期間、工場の操業を停止することが困難であったために水門据付工事が不可能であった箇所でも水門の据付工事が可能となり、環境への対策が実現できるうえ、工場の安全性も向上する。
さらに、従来では長期の休業日（例えば夏期休業期間、冬季休業期間など）以外では工事が不可能であった箇所でも、通常の休業日（土、日等）のみで据付工事が終了することで、時期を問わずに水門の設置が可能となる。
【発明を実施するための最良の形態】
【００１０】
この発明について図面を参照して詳しく説明する。
図１は本発明の型枠一体型水門の一例を示したものである。扉体２、戸当り３などから構成されている水門本体の構造は従来と同じである。コンクリート打設用の型枠４は、製造時に於いて既に戸当り３に溶接またはボルト等により固定されている。予め型枠が一体化されている水門本体を水路構造物壁面に固定し、型枠４にコンクリート５を打設し、その後コンクリート５を養生することで簡単に、且つ、短期間で据付工事は完了する。
【００１１】
コンクリート５を型枠に充填した際に生じるコンクリート打設圧に耐えられるように、戸当り３には補強材６をボルト等により取り付けることも可能である。この際、補強材６は取り外し可能な構造となっているので、コンクリート５養生後に補強材６を取り外すことで、扉体２の上下作動に影響を与えない。
【００１２】
図２、３は本発明で使用する型枠の種々の例を示したものである。
図２に示すように、戸当り３と一体化された大きめの型枠４ａを後打ちアンカー７を用いて壁面と固定することで、簡単に据付作業を行うことができる。また図３に示すように、予め型枠受け材８を後打ちアンカー７を用いて壁面と固定し、型枠受け材８と型枠４ｂを溶接にて固定し、据え付けることも可能である。いづれも場合も、型枠と水路構造物壁面との隙間にパッキン等のシール材を挟むことで隙間からの漏水が簡単に防止できる。さらに、型枠４ａ、４ｂはコンクリート５を型枠に充填した際に生じるコンクリート打設圧に耐えられるように、適宜補強を入れることも可能である。
【図面の簡単な説明】
【００１３】
【図１】本発明の実施の形態に係る型枠一体型水門の一実施形態であり、(a)は正面図、(b)は側部断面図である。
【図２】本発明で使用する一体型型枠の一例を示す断面図である。
【図３】本発明で使用する一体型型枠の一例を示す断面図である。
【図４】従来の水門据付工法を示す断面図である。
【符号の説明】
【００１４】
１  水路
２  扉体
３  戸当り
４  型枠
５  コンクリート
６  補強材
７  後打ちアンカー
８  型枠受け材
９  基礎ボルト
１０  鉄筋
【図１】
2005133410.tif 000003
【図２】
2005133410.tif 000004
【図３】
2005133410.tif 000005
【図４】
2005133410.tif 000006